(57)【要約】【課題】ＭＦＰ等に保存されている文書画像をＰＤＡ等の端末で快適に閲覧可能にする。【解決手段】ＰＤＡよりＭＰＦへ、ＰＤＡのスクリーンのサイズ、閲覧したい文書画像、該文書画像の表示サイズ及び表示位置、１のバックグランド画像を少なくとも指定するスクリーン画像生成情報をＭＦＰへ送信する。ＭＦＰは、受信したスクリーン画像生成情報に従って、指定されたバックグランド画像が描画され、その上に重ねて、指定された文書画像が、指定された表示サイズで、指定された表示位置に描画された、指定されたスクリーンのサイズに対応したサイズを持つスクリーン画像を生成してＰＤＡへ送信する。【選択図】図１２
2007329836.tif 000002
【特許請求の範囲】
【請求項１】
文書画像が記憶されている画像記憶手段、
情報端末との通信処理を行う通信処理手段、
前記通信処理手段によって文書画像閲覧を要求する情報端末より受信された、該情報端末の画像表示用スクリーンのサイズ、前記画像記憶手段に記憶されている１又は複数の文書画像、該文書画像の表示サイズ及び表示位置を少なくとも指定するスクリーン画像生成情報に従って、該指定された文書画像が、該指定された表示サイズで、該指定された表示位置に描画された、該指定されたスクリーンのサイズに対応したサイズを持つスクリーン画像をスクリーン画像記憶手段に生成するスクリーン画像生成手段を有し、
文書画像閲覧を要求する情報端末より受信されたスクリーン画像生成情報に従って前記スクリーン画像生成手段により前記スクリーン画像記憶手段に生成されたスクリーン画像を前記通信処理手段により該情報端末へ送信することを特徴とする画像処理装置。
【請求項２】
前記スクリーン画像生成手段は、前記指定された文書画像を縮小する縮小処理手段、該縮小処理手段により縮小後の文書画像の、生成すべきスクリーン画像の外側に位置する画素を除去するための矩形クリッピング処理を行う矩形クリッピング処理手段、前記縮小処理手段により縮小後の文書画像の前記矩形クリッピング処理手段により除去されなかった画素を前記スクリーン画像記憶手段に描画する表示領域描画手段を有することを特徴とする請求項１記載の画像処理装置。
【請求項３】
文書画像が記憶されている画像記憶手段、
情報端末との通信処理を行う通信処理手段、
前記通信処理手段によって文書画像閲覧を要求する情報端末より受信された、該情報端末の画像表示用スクリーンのサイズ、前記画像記憶手段に記憶されている１又は複数の文書画像、該文書画像の表示サイズ及び表示位置、前記画像記憶手段に記憶されている１のバックグランド画像を少なくとも指定するスクリーン画像生成情報に従って、該指定されたバックグランド画像が描画され、その上に重ねて、該指定された文書画像が、該指定された表示サイズで、該指定された表示位置に描画された、該指定されたスクリーンのサイズに対応したサイズを持つスクリーン画像をスクリーン画像記憶手段に生成するスクリーン画像生成手段を有し、
文書画像閲覧を要求する情報端末より受信されたスクリーン画像生成情報に従って前記スクリーン画像生成手段により前記スクリーン画像記憶手段に生成されたスクリーン画像を前記通信処理手段により該情報端末へ送信することを特徴とする画像処理装置。
【請求項４】
前記スクリーン画像生成手段は、前記指定されたバックグランド画像を前記スクリーン画像記憶手段に描画するバックグランド描画手段、前記指定された文書画像を縮小する縮小処理手段、該縮小処理手段により縮小後の文書画像の、生成すべきスクリーン画像の外側に位置する画素を除去するための矩形クリッピング処理を行う矩形クリッピング処理手段、前記縮小処理手段により縮小後の文書画像の前記矩形クリッピング処理手段により除去されなかった画素を前記スクリーン画像記憶手段に前記バックグランド画像に上書きする形で描画する表示領域描画手段を有することを特徴とする請求項３記載の画像処理装置。
【請求項５】
前記画像記憶手段に文書画像が圧縮された符号として記憶されており、
前記スクリーン画像生成手段は、前記指定された文書画像の符号を復号する復号手段をさらに有し、前記縮小処理手段は前記復号手段により復号された文書画像を縮小することを特徴とする請求項２又は４記載の画像処理装置。
【請求項６】
前記縮小処理手段は、前記文書画像を平均操作法により縮小することを特徴とする請求項２，４又は５記載の画像処理装置。
【請求項７】
前記縮小処理手段は、前記文書画像を離散コサイン変換し、生成された離散コサイン係数をその高周波側係数を間引いてから逆離散コサイン変換することにより、前記文書画像を縮小することを特徴とする請求項２，４又は５記載の画像処理装置。
【請求項８】
画像処理装置に保存されている文書画像を情報端末で閲覧する文書画像閲覧方法であって、
前記情報端末より、その画像表示用スクリーンのサイズ、前記画像処理装置に保存されている１又は複数の文書画像、該文書画像の表示サイズ及び表示位置を少なくとも指定するスクリーン画像生成情報を前記画像処理装置へ送信し、
前記画像処理装置において、前記情報端末より受信した前記スクリーン画像生成情報に従って、指定された文書画像が、指定された表示サイズで、指定された表示位置に描画された、指定されたスクリーンのサイズに対応したサイズを持つスクリーン画像を生成し、該スクリーン画像を前記情報端末へ送信し、
前記情報端末において、その前記スクリーンに、前記画像処理装置より受信した前記スクリーン画像を表示することを特徴とする文書画像閲覧方法。
【請求項９】
画像処理装置に保存されている文書画像を情報端末で閲覧する文書画像閲覧方法であって、
前記情報端末より、そのスクリーンのサイズ、前記画像処理装置に保存されている１又は複数の文書画像、該文書画像の表示サイズ及び表示位置、前記画像処理装置に保存されている１のバックグランド画像を少なくとも指定するスクリーン画像生成情報を前記画像処理装置へ送信し、
前記画像処理装置において、前記情報端末より受信した前記スクリーン画像生成情報に従って、指定されたバックグランド画像が描画され、その上に重ねて、指定された文書画像が、指定された表示サイズで、指定された表示位置に描画された、指定されたスクリーンのサイズに対応したサイズを持つスクリーン画像を生成し、該スクリーン画像を前記情報端末へ送信し、
前記情報端末において、その前記スクリーンに、前記画像処理装置より受信した前記スクリーン画像を表示することを特徴とする文書画像閲覧方法。
【発明の詳細な説明】
【技術分野】
【０００１】
本発明は、文書画像を保存する機能と、保存している文書画像をＰＤＡ（Personal  Digital  Assistant）のような情報端末から閲覧可能にする機能を備えた画像処理装置に関する。
【背景技術】
【０００２】
本発明は、例えば、いわゆる複合機（ＭＦＰ：Multi  Function  Printer）に適用される。
【０００３】
ＭＦＰの多くは、内部のハードディスク装置（ＨＤＤ）に保存した文書画像をパーソナルコンピュータ（ＰＣ）等の情報端末から検索する機能、情報端末より閲覧要求された文書画像を情報端末へ配信する機能を備えている。特許文献１には、文書画像を情報端末へ配信する際に、文書画像に対し解像度変換や汎用フォーマットへのフォーマット変換を施す機能を備えたＭＦＰが記載されている。
【０００４】
【特許文献１】特開２００４−１２００２３号公報
【発明の開示】
【発明が解決しようとする課題】
【０００５】
上に述べたように、従来のＭＦＰは、保存している文書画像の閲覧を情報端末から要求された場合に、その文書画像を情報端末へ転送するため、以下のような問題があった。
【０００６】
まず、ＭＦＰの内部に保存されている文書画像は例えばＡ４版・６００ｄｐｉといった大サイズ・高解像度の画像であり、そのデータ量が極めて大きい。しかし、メモリ容量やＣＰＵパワーが貧弱なＰＤＡ等の情報端末では、そのようなデータ量の大きな文書画像を受信して処理することは基本的に難しいという問題がある。
【０００７】
また、そのようなデータ量の大きな文書画像は、その転送時間が長いという問題がある。文書画像を高能率圧縮した符号として転送するならば転送時間を短縮できる。しかし、ＰＤＡ等のＣＰＵパワーは貧弱であるため、受信した文書画像の符号の復号処理に時間がかかり、圧縮により転送時間を短縮しても、閲覧要求から文書画像の内容確認が可能になるまでの待ち時間はそれほど短縮されないという問題がある。
【０００８】
また、ＰＤＡ等の画像表示用スクリーンの解像度は極めて低く（例えば７５ｄｐｉ）、かつ、スクリーンのサイズも小さいため、Ａ４版・６００ｄｐｉといった文書画像をそのままでは表示することはできず、操作可能な解像度への解像度変換（縮小）処理を行う必要がある。しかし、ＰＤＡ等のＣＰＵパワーは貧弱であるため、解像度変換（縮小）処理に時間がかかるという問題がある。また、ＣＰＵパワーの関係から解像度変換（縮小）処理に演算量の少ないダウンサンプリング法等を利用するのが普通であり、スクリーンのサイズに見合った十分に低い解像度まで変換（縮小）すると文書画像中の文字等がつぶれ、内容確認が困難になる。そのため、文字等のつぶれが生じない程度までの解像度に変換せざるを得ず、その結果、文書画像の表示サイズはスクリーンより相当に大きなものとなるため、文書画像の内容確認のためにスクロール操作を何度も繰り返さなければならず、操作が煩わしいという問題がある。
【０００９】
また、特許文献１記載のＭＦＰのように、配信時に解像度変換によって文書画像の解像度を下げる（縮小する）ならば、文書画像の転送時間は短縮される。しかし、ＰＤＡ等において、低解像度・小サイズのスクリーン上での内容確認のために文書画像をかなり自由に縮小できるように、大きめ目な画像として転送せざるを得ないため、転送時間を大幅に短縮することはできない。また、ＰＤＡ等において解像度変換（縮小）処理を行う必要があること、内容確認のためにスクロール操作を繰り返す必要があることに変わりはない。
【００１０】
本発明は上に述べたような問題に鑑みてなされたものであり、その目的は、画像表示用スクリーン、ＣＰＵパワー、メモリ容量等が貧弱なＰＤＡのような情報端末でも、ＭＦＰ等の画像処理装置に保存されている文書画像の閲覧を快適に行うことができるようにすることにある。
【課題を解決するための手段】
【００１１】
請求項１記載の発明は、
文書画像が記憶されている画像記憶手段、
情報端末との通信処理を行う通信処理手段、
前記通信処理手段によって文書画像閲覧を要求する情報端末より受信された、該情報端末の画像表示用スクリーンのサイズ、前記画像記憶手段に記憶されている１又は複数の文書画像、該文書画像の表示サイズ及び表示位置を少なくとも指定するスクリーン画像生成情報に従って、該指定された文書画像が、該指定された表示サイズで、該指定された表示位置に描画された、該指定されたスクリーンのサイズに対応したサイズを持つスクリーン画像をスクリーン画像記憶手段に生成するスクリーン画像生成手段を有し、
文書画像閲覧を要求する情報端末より受信されたスクリーン画像生成情報に従って前記スクリーン画像生成手段により前記スクリーン画像記憶手段に生成されたスクリーン画像を前記通信処理手段により該情報端末へ送信することを特徴とする画像処理装置である。
【００１２】
請求項２記載の発明は、請求項１記載の発明に係る画像処理装置であって、
前記スクリーン画像生成手段は、前記指定された文書画像を縮小する縮小処理手段、該縮小処理手段により縮小後の文書画像の、生成すべきスクリーン画像の外側に位置する画素を除去するための矩形クリッピング処理を行う矩形クリッピング処理手段、前記縮小処理手段により縮小後の文書画像の前記矩形クリッピング処理手段により除去されなかった画素を前記スクリーン画像記憶手段に描画する表示領域描画手段を有することを特徴とする画像処理装置である。
【００１３】
請求項３記載の発明は、
文書画像が記憶されている画像記憶手段、
情報端末との通信処理を行う通信処理手段、
前記通信処理手段によって文書画像閲覧を要求する情報端末より受信された、該情報端末の画像表示用スクリーンのサイズ、前記画像記憶手段に記憶されている１又は複数の文書画像、該文書画像の表示サイズ及び表示位置、前記画像記憶手段に記憶されている１のバックグランド画像を少なくとも指定するスクリーン画像生成情報に従って、該指定されたバックグランド画像が描画され、その上に重ねて、該指定された文書画像が、該指定された表示サイズで、該指定された表示位置に描画された、該指定されたスクリーンのサイズに対応したサイズを持つスクリーン画像をスクリーン画像記憶手段に生成するスクリーン画像生成手段を有し、
文書画像閲覧を要求する情報端末より受信されたスクリーン画像生成情報に従って前記スクリーン画像生成手段により前記スクリーン画像記憶手段に生成されたスクリーン画像を前記通信処理手段により該情報端末へ送信することを特徴とする画像処理装置である。
【００１４】
請求項４記載の発明は、請求項３記載の発明に係る画像処理装置であって、
前記スクリーン画像生成手段は、前記指定されたバックグランド画像を前記スクリーン画像記憶手段に描画するバックグランド描画手段、前記指定された文書画像を縮小する縮小処理手段、該縮小処理手段により縮小後の文書画像の、生成すべきスクリーン画像の外側に位置する画素を除去するための矩形クリッピング処理を行う矩形クリッピング処理手段、前記縮小処理手段により縮小後の文書画像の前記矩形クリッピング処理手段により除去されなかった画素を前記スクリーン画像記憶手段に前記バックグランド画像に上書きする形で描画する表示領域描画手段を有することを特徴とする画像処理装置である。
【００１５】
請求項５記載の発明は、請求項２又は４記載の発明に係る画像処理装置であって、
前記画像記憶手段に文書画像が圧縮された符号として記憶されており、
前記スクリーン画像生成手段は、前記指定された文書画像の符号を復号する復号手段をさらに有し、前記縮小処理手段は前記復号手段により復号された文書画像を縮小することを特徴とする画像処理装置である。
【００１６】
請求項６記載の発明は、請求項２，４又は５記載の発明に係る画像処理装置であって、
前記縮小処理手段は、前記文書画像を平均操作法により縮小することを特徴とする画像処理装置である。
【００１７】
請求項７記載の発明は、請求項２，４又は５記載の発明に係る画像処理装置であって、
前記縮小処理手段は、前記文書画像を離散コサイン変換し、生成された離散コサイン係数をその高周波側係数を間引いてから逆離散コサイン変換することにより、前記文書画像を縮小することを特徴とする画像処理装置である。
【００１８】
請求項８記載の発明は、
画像処理装置に保存されている文書画像を情報端末で閲覧する文書画像閲覧方法であって、
前記情報端末より、その画像表示用スクリーンのサイズ、前記画像処理装置に保存されている１又は複数の文書画像、該文書画像の表示サイズ及び表示位置を少なくとも指定するスクリーン画像生成情報を前記画像処理装置へ送信し、
前記画像処理装置において、前記情報端末より受信した前記スクリーン画像生成情報に従って、指定された文書画像が、指定された表示サイズで、指定された表示位置に描画された、指定されたスクリーンのサイズに対応したサイズを持つスクリーン画像を生成し、該スクリーン画像を前記情報端末へ送信し、
前記情報端末において、その前記スクリーンに、前記画像処理装置より受信した前記スクリーン画像を表示することを特徴とする文書画像閲覧方法である。
【００１９】
請求項９記載の発明は、
画像処理装置に保存されている文書画像を情報端末で閲覧する文書画像閲覧方法であって、
前記情報端末より、そのスクリーンのサイズ、前記画像処理装置に保存されている１又は複数の文書画像、該文書画像の表示サイズ及び表示位置、前記画像処理装置に保存されている１のバックグランド画像を少なくとも指定するスクリーン画像生成情報を前記画像処理装置へ送信し、
前記画像処理装置において、前記情報端末より受信した前記スクリーン画像生成情報に従って、指定されたバックグランド画像が描画され、その上に重ねて、指定された文書画像が、指定された表示サイズで、指定された表示位置に描画された、指定されたスクリーンのサイズに対応したサイズを持つスクリーン画像を生成し、該スクリーン画像を前記情報端末へ送信し、
前記情報端末において、その前記スクリーンに、前記画像処理装置より受信した前記スクリーン画像を表示することを特徴とする文書画像閲覧方法である。
【発明の効果】
【００２０】
本発明に係る画像処理装置又は文書画像閲覧方法によれば、画像処理装置において、文書画像閲覧を要求する情報端末より受信したスクリーン画像生成情報に従って、指定された文書画像が、指定された表示サイズで、指定された表示位置に描画された、指定されたスクリーンのサイズに対応したサイズを持つスクリーン画像を生成し、これを前記情報端末へ送信する。ＰＤＡのような情報端末の場合、スクリーン画像のデータ量は文書処理装置に保存されている文書画像より遙かに小さいため、画像処理装置から情報端末へ短時間でスクリーン画像を転送できる。また、情報端末側では、受信したスクリーン画像を、解像度変換（縮小）処理等を施すことなく単純にスクリーンに表示する処理を行うだけでよいので、その表示を素早く行うことができ、また、スクロール操作を繰り返すことなく、スクリーン画像全体の内容を確認することができる。文書画像の一部の詳細内容を確認したい場合には、情報端末側で文書画像の表示サイズ及び表示位置を変更したスクリーン画像生成情報を画像処理装置へ送信することによって、そのような詳細内容確認に適したスクリーン画像を画像処理装置より受信してスクリーンに直ちに表示し、詳細内容確認を行うことができる。また、文書画像を指定された表示サイズに縮小（解像度変換）する処理は画像処理装置において行われるため、情報端末側のＣＰＵパワー等に影響されることなく、より画質的に優れた平均操作法（請求項６）やＤＣＴ係数の間引きによる方法（請求項７）等を縮小処理に利用することができる。したがって、文書画像の全体や大部分をスクリーン画像に縮小描画するような条件であっても、文字のつぶれ等が生じにくくなり、その内容確認が容易になる。以上の諸点より、本発明によれば、ＣＰＵパワーやメモリ容量が貧弱なＰＤＡ等の情報端末であっても、画像処理装置に保存されている文書画像の閲覧を従来よりも快適に行うことができる。
【発明を実施するための最良の形態】
【００２１】
以下、複合機（ＭＦＰ）を例に、本発明の実施形態について詳細に説明する。
【００２２】
図１は、本発明の一実施形態に係るＭＦＰのハードウェア構成を示すブロック図である。このＭＦＰ１０００は、ＬＡＮ等のネットワーク１０２６を介して情報端末と通信可能である。ここでは情報端末の例としてパーソナルコンピュータ（ＰＣ）１０２４と携帯型情報端末のＰＤＡ（Personal  Digital  Assistant）１０２３が示されているが、これは例示であって他の携帯型又は据え置き型の情報端末を除外するものではない。ＰＣ１０２４は、プリンタ画像のＰＤＬデータを生成し、ＭＦＰ１０００へ転送してＭＦＰ１０００でプリントさせるほか、ＭＦＰ１０００に蓄積されている文書画像の検索・閲覧を行うことができる。ＰＤＡ１０２３は、ＭＦＰ１０００に蓄積されている文書画像の検索・閲覧等を行うことができる。
【００２３】
ＭＦＰ１０００の構成について説明すれば、ＣＰＵ１００１はＭＦＰ全体の制御等を司る。メインメモリ１００４は、ＣＰＵ１００１により実行されるプログラムや各種のデータの一時的記憶域として利用される。
【００２４】
図２に、メインメモリ１００４の領域割り当て例を示す。図示のように、メインメモリ１００４に、ＰＣ１０２４等の情報端末から受信されるプリンタ画像のＰＤＬ（ページ記述言語）データを記憶するためのＰＤＬメモリ領域、スキャナ１００９より入力される文書画像のＲＧＢイメージデータ等（ページ画像）を記憶するためのページ画像メモリ領域、ページ画像の圧縮された符号（ページ符号）を記憶するためのページ符号メモリ領域、ＰＤＡ１０２３等の情報端末より受信されるスクリーン画像生成情報（後述）を記憶するためのスクリーン画像生成情報メモリ領域、ＣＰＵ１００１のプログラムを記憶するためのプログラム領域、その他領域（ＣＰＵ１００１のワーク領域等）が割り当てられる。
【００２５】
図１に戻る。ＣＰＵインターフェース（Ｉ／Ｆ）１００２は、ＣＰＵ１００１とメモリコントローラ１００３の間のインターフェース処理をする手段である。メモリコントローラ１００３は、メインメモリ１００４のアクセス制御、ＣＰＵ１００１、ローカルバスＩ／Ｆ１００５、描画処理装置１０１６、ページ画像符号化装置１０１７、ＨＤＤ制御装置１０１８、ページ画像復号装置１０１１、通信処理装置１０２２、平滑ファイルタ処理装置１０１０、スクリーン画像生成装置１０２０とメインメモリ１００４との間のデータ転送の制御を行う手段である。ローカルバスＩ／Ｆ１００５は、ＲＯＭ１００６、パネルコントローラ１００７等と、ＣＰＵ１００１、メインメモリ１００４等とのインターフェース処理を行う手段である。ＲＯＭ１００６は、文字などのフォント情報やＣＰＵ１００１のプログラムなどを格納している。パネルコントローラ１００７はパネル１００８を制御する手段である。パネル１００８は、ユーザがＭＦＰ１０００へ指示を入力し、ＭＦＰ１０００がユーザへ情報を通知するための手段である。スキャナ１００９は、文書をスキャンして画像データを入力する手段である（その具体例を後述する）。平滑フィルタ処理装置１０１０は、スキャナ１００９により入力される画像データに対しシェ−デイング補正、ＭＴＦγ補正などの処理を施し、処理後の画像データ（ページ画像）をメインメモリ１００４のページ画像メモリ領域に書き込む手段である。描画処理装置１０１６は、メインメモリ１００４のＰＤＬメモリ領域よりプリンタ画像のＰＤＬデータを読み込んで解析し、ＲＧＢ画像データ（ページ画像）をメインメモリ１００４のページ画像メモリ領域に描画する手段である。ページ画像符号化装置１０１７は、メインメモリ１００４のページ画像メモリ領域よりページ画像を読み込んで符号化し、その符号をメインメモリ１００４のページ符号メモリ領域に転送する手段である。ページ画像復号装置１０１１は、メインメモリ１００４のページ符号メモリ領域から符号を読み込んで復号し、復号したページ画像を画像処理装置１０１２へ転送する手段である。画像処理装置１０１２は、ページ画像復号装置１０１１より入力されるページ画像に色変換処理や階調処理を施し、プリンタエンジン１０１５に適した各色版用のデータを出力する手段である。エンジンコントローラ１０１４は、画像処理装置１０１２より入力する各色版用のデータに従ってプリンタエンジン１０１５が画像を形成する動作をコントロールする手段である。プリンタエンジン１０１５は、例えば電子写真方式のプリンタエンジンである（その具体例を後述する）。ハードディスク装置（ＨＤＤ）１０１９は、文書画像の符号等の格納に利用される。ＨＤＤ制御装置１０１８はＨＤＤ１０１９を制御する手段であり、ＨＤＤ１０１９とメインメモリ１００４との間のデータ転送はＨＤＤ制御装置１０１８により制御される。通信処理装置１０２２は、ネットワーク１０２６を介してＰＣ１０２４、ＰＤＡ１０２３等の情報端末との通信処理を行う手段である。
【００２６】
スクリーン画像生成装置１０２０は、ＰＤＡ１０２３等の情報端末からＭＦＰ１０００に保存されている文書画像の閲覧を要求された時に、該情報端末より受信されたスクリーン画像生成情報（画像表示用スクリーンのサイズ、閲覧したい文書画像のＨＤＤ上の登録番号、それら文書画像の表示サイズと表示位置等）に従って、情報端末のスクリーンに表示される画像（スクリーン画像）をスクリーン画像記憶装置１０２１に生成する処理を行い、完成したスクリーン画像を通信処理装置１０２２へ転送して該情報端末へ送信させる処理を行う手段である。スクリーン画像記憶装置１０２１は、スクリーン画像生成のためのワークメモリとして利用されるものである。本発明に係るＭＦＰ１０００の主たる特徴は、このスクリーン画像生成装置１０２０に関わるが、その詳細については後述する。
【００２７】
以下、ＭＦＰ１０００の構成及び作用について、コピー機能、プリンタ機能、スクリーン画像生成・転送機能に関連して順に説明する。
【００２８】
［コピー機能］
図３は、ＭＦＰ１０００におけるコピー機能に関する処理の流れを示す処理概念図である。処理の流れは次の通りである。
【００２９】
１）スキャナ１００９により文書原稿の読み取りスキャンを行って文書画像データ（多値のＲＧＢデータ）を入力する。
【００３０】
２）スキャナ１００９から入力された文書画像データに対し、平滑フィルタ処理装置１０１０でシェ−デイング補正、ＭＴＦγ補正などの処理を施す。処理後の文書画像データ（ページ画像）はメインメモリ１００４のページ画像メモリ領域に書き込まれる。
【００３１】
３）ページ画像符号化装置１０１７でページ画像メモリ領域よりページ画像を読み出して符号化処理を施し、生成した符号をメインメモリ１００４のページ符号メモリ領域に書き込む。
【００３２】
４），５）ページ画像復号装置１０１１によって、ページ符号メモリ領域より符号を読み出して復号処理を施し、復号したページ画像を画像処理装置１０１２へ入力する。
【００３３】
６）画像処理装置１０１２で、入力されたページ画像データにＲＧＢからＣＭＹＫへの色変換処理と階調処理を施し、処理後の各色版用のデータをエンジンコントローラ１０１４経由でプリンタエンジン１０１５へ送り、プリンタエンジン１０１５により文書原稿のコピーをプリントする。
【００３４】
７），８）ＨＤＤ制御装置１０１８により、メインメモリ１００４のページ符号メモリ領域からコピー文書画像の符号を読み出し、該符号をＨＤＤ１０１９に格納する。この処理はＣＰＵ１００１（のプログラム）により制御される。
【００３５】
次に、以上の処理に関わるページ画像符号化装置１０１７、ページ画像復号装置１０１１、画像処理装置１０１２について順に説明する。
【００３６】
図４は、ページ画像符号化装置１０１７のブロック図である。図示のように、ページ画像符号化装置１０１７は、メモリコントローラＩ／Ｆ２００１、ＪＰＥＧ符号化装置２００２、メモリアドレス生成装置２００３及びコントローラ２００４から構成される。
【００３７】
メモリコントローラＩ／Ｆ２００１は、メモリコントローラ１００３とのインターフェース処理を行う手段である。ＪＰＥＧ符号化装置２００２は、メモリコントローラＩ／Ｆ２００１を介してメインメモリ１００４のページ画像メモリ領域より読み込まれるページ画像データ（文書画像のＲＧＢデータ）に対しＪＰＥＧ符号化方式による符号化処理を施す手段である。生成される符号はメモリコントローラＩ／Ｆ２００１を介してメインメモリ１００４へ転送され、ページ符号メモリ領域に書き込まれる。メモリアドレス生成装置２００３は、メインメモリ１００４のページ画像メモリ領域からページ画像を読み込むためのアドレス、及び、メインメモリ１００４のページ符号メモリ領域へ符号を書き込むためのアドレスを生成し、それらアドレスをメモリコントローラＩ／Ｆへ与える手段である。コントローラ２００４は、ページ画像符号化装置１０１７の全体の動作をコントロールする手段である。
【００３８】
ＪＰＥＧ符号化装置２００２は、図５のブロック図に示すような構成である。すなわち、ページ画像データの１ブロック（８×８画素）が８＊８バッファ２０１１に入力し一時的に保持される。ＲＧＢ→ＹＵＶ変換装置２０１２は、８＊８バッファ２０１１よりデータを読み込み、それをＪＰＥＧの規格に基づきＹＵＶデータへ変換する手段である。
【００３９】
ＹＵＶデータのＹ成分に対し２次元ＤＣＴ処理装置２０１３＿Ｙによって２次元ＤＣＴ（離散コサイン変換）が行われ、そのＤＣＴ係数は量子化処理装置２０１４＿Ｙにより量子化される。量子化後のＤＣＴ係数はハフマン符号化装置２０１５＿Ｙによりハフマン符号化方式で符号化され、その符号は符号フォーマット生成装置２０１６に入力される。
【００４０】
ＹＵＶデータのＵ成分に対し２次元ＤＣＴ処理装置２０１３＿Ｕによって２次元ＤＣＴが行われ、そのＤＣＴ係数は量子化処理装置２０１４＿Ｕにより量子化される。量子化後のＤＣＴ係数はハフマン符号化装置２０１５＿Ｕにより符号化され、その符号は符号フォーマット生成装置２０１６に入力される。
【００４１】
ＹＵＶデータのＶ成分に対し２次元ＤＣＴ処理装置２０１３＿Ｖによって２次元ＤＣＴが行われ、そのＤＣＴ係数は量子化処理装置２０１４＿Ｖにより量子化される。量子化後のＤＣＴ係数はハフマン符号化装置２０１５＿Ｖにより符号化され、その符号は符号フォーマット生成装置２０１６に入力される。
【００４２】
符号フォーマット生成装置２０１６は、入力されたＹＵＶ各成分の符号によりＪＰＥＧフォーマットの符号を形成し出力する。
【００４３】
ページ画像復号装置１０１１は、図６のブロック図に示すように、メモリコントローラＩ／Ｆ２０２１、バッファ２０２２、ＪＰＥＧ復号装置２０２３、メモリアドレス生成装置２０２４、コントローラ２０２５から構成される。
【００４４】
メモリコントローラＩ／Ｆ２０２１は、メモリコントローラ１００３とのインターフェース処理のための手段である。このメモリコントローラＩ／Ｆ２０２１を通じて、メインメモリ１００４のページ符号メモリ領域から符号が読み込まれる。その際の読み出しアドレスはメモリアドレス生成装置２０２４で発生される。読み込まれた符号はバッファ２０２２に一時的に記憶される。この符号はＪＰＥＧ復号装置２０２３に入力されて復号され、復号された画像データ（ページ画像データ）は画像処理装置１０１２へ出力される。ページ画像復号装置１０１１の全体動作はコントローラ２０２５によって制御される。
【００４５】
ＪＰＥＧ復号装置２０２３は図７のブロック図に示すような概略構成である。すなわち、ハフマン復号装置２０３１は、バッファ２０２２（図６）より符号を読み込みハフマン復号を行う。復号されたＹ成分のＤＣＴ係数は逆量子化処理装置２０３２＿Ｙによって逆量子化された後、２次元ＩＤＣＴ処理装置２０３３＿Ｙにより２次元ＩＤＣＴ（逆離散コサイン変換）を施されることにより画素値データに戻されてＹＵＶ→ＲＧＢ変換装置２０３４に入力される。ハフマン復号装置２０３１により復号されるＵ成分のＤＣＴ係数は逆量子化処理装置２０３２＿Ｕによって逆量子化された後、２次元ＩＤＣＴ処理装置２０３３＿Ｕにより２次元ＩＤＣＴ（逆離散コサイン変換）を施されることにより画素値データに戻されてＹＵＶ→ＲＧＢ変換装置２０３４に入力される。ハフマン復号装置２０３１により復号されるＶ成分のＤＣＴ係数は逆量子化処理装置２０３２＿Ｖによって逆量子化された後、２次元ＩＤＣＴ処理装置２０３３＿Ｖにより２次元ＩＤＣＴ（逆離散コサイン変換）を施されることにより画素値データに戻されてＹＵＶ→ＲＧＢ変換装置２０３４に入力される。ＹＵＶ→ＲＧＢ変換装置２０３４は、入力されたＹＵＶ各成分の画素値データをＲＧＢ画像データへ変換して出力する。なお、ＪＰＥＧ符号のヘッダの解析等を行う手段も含まれるが図中省略されている。
【００４６】
図８は、画像処理装置１０１２のブロック図である。図示のように、画像処理装置１０１２は色変換装置２０４１、階調処理装置２０４２、パラメータ記憶装置２０４３、コントローラ２０４４から構成される。色変換処理装置２０４１は、ページ画像復号装置１０１１より入力するＲＧＢ画像データのＣＭＹＫ画像データへの色変換処理を行う。この色変換処理のためのバラメータはパラメータ記憶装置２０４３より与えられる。色変換処理後のＣＭＹＫデータは階調処理装置２０４２によって階調処理を施され、プリンタエンジン１０１５のＣＭＹＫ各色版用データに変換される。この階調処理のためのパラメータはパラメータ記憶装置２０４３より与えられる。画像処理装置１０１２の全体的動作は、コントローラ２０４４によって制御される。
【００４７】
［プリンタ機能］
図９は、ＭＦＰ１０００におけるプリンタ機能に関する処理の流れを示す処理概念図である。処理の流れは次の通りである。
【００４８】
１）例えばＰＣ１０２４でプリンタ画像のＰＤＬデータを生成し、それをＭＦＰ１０００へ送信する。
【００４９】
２）通信処理装置１０２２は受信したＰＤＬデータをメインメモリ１００４のＰＤＬメモリ領域へ書き込む。
【００５０】
３）描画処理装置１０１６はＰＤＬメモリ領域よりＰＤＬデータを読み込み解析し、プリンタ画像すなわちページ画像のＲＧＢデータをメインメモリ１００４のページ画像メモリ領域に描画する。
【００５１】
４）ページ画像符号化装置１０１７は、ページ画像メモリ領域よりプリンタ画像を読み込んで符号化し、その符号をメインメモリ１００４のページ符号メモリ領域に書き込む。
【００５２】
５）ページ復号装置１０１１は、ページ符号メモリ領域からプリンタ画像の符号を読み込んで復号する。
【００５３】
６）復号されたプリンタ画像は画像処理装置１０１２へ転送され、ＣＭＹＫデータへ色変換され、さらに階調処理が施される。
【００５４】
７）画像処理装置１０１２より出力されたＣＭＹＫ各色版用データがエンジンコントローラ１０１４経由でプリンタエンジンへ送られ、プリンタ画像がプリントされる。
【００５５】
８），９）ＨＤＤ制御装置１０１８は、ページ符号メモリ領域からプリント画像の符号を読み込み、それをＨＤＤ１０１９へ転送して記憶させる。
【００５６】
図１０は描画処理装置１０１６のブロック図である。図示のように、描画処理装置１０１６はメモリコントローラＩ／Ｆ２０５１、描画コマンド解析装置２０５２、ライン描画装置２０５３、パラメータ記憶装置２０５４、コントローラ２０５５から構成される。
【００５７】
メモリコントローラＩ／Ｆ２０５１はメモリコントローラ１００３とのインターフェース処理を行うもので、このメモリコントローラＩ／Ｆ２０５１を介してメインメモリ１００４のＰＤＬメモリ領域とページ画像メモリ領域への読み書きが行われる。描画コマンド解析装置２００５２は、ＰＤＬメモリ領域より読み込まれたＰＤＬデータを解析し、描画パラメータをパラメータ記憶装置２０５４へ転送し、描画データをライン描画装置２０５３へ転送する。ライン描画装置２０５３は描画コマンド解析装置２０５２からのデータに基づきライン描画処理を行う。パラメータ記憶装置２０５４は、描画コマンド解析装置２０５２からのパラメータを記憶し、各処理装置に必要なパラメータを供給する。コントローラ２０５５は描画処理装置１０１６の全体動作を制御する。
【００５８】
［スクリーン画像生成・転送機能］
図１１は、ＭＦＰ１０００のスクリーン画像生成・転送機能に関する処理の流れを示す処理概念図である。この処理は、例えばＰＤＡ１０２３よりスクリーン描画要求を受信した時に実行されるものである。以下、処理の流れを説明する。
【００５９】
１）例えばＰＤＡ１０２３より、「スクリーン描画要求」（後述）に付加されてスクリーン画像生成情報がＭＦＰ１０００へ送信される。このスクリーン画像生成情報は、それに基づいてＭＦＰ１０２３側でＰＤＡ１０２３のスクリーンに表示させるスクリーン画像を生成するものであり、ＰＤＡ１０２３のスクリーンのサイズ、閲覧したい文書画像とバックグランド画像、文書画像のスクリーン上での表示位置と表示サイズ等を指定するものであるが、その具体的内容については後述する。
【００６０】
２）通信処理装置１０２２は、受信したスクリーン画像生成情報をメインメモリ１００４のスクリーン画像生成情報メモリ領域に書き込む。
【００６１】
３）スクリーン画像生成装置１０２０は、スクリーン画像生成情報メモリ領域よりスクリーン画像生成情報を読み込む。
【００６２】
４）ＣＰＵ１００１（そのプログラム）は、スクリーン画像生成情報中で指定された文書画像の符号がメインメモリ１００４のページ符号メモリ領域に存在しないときには、その文書画像の符号をＨＤＤ１０１９よりページ符号メモリ領域に読み出す処理を実行し、また、スクリーン画像生成情報中で指定されたバックグランド画像がメインメモリ１００４の所定のメモリ領域に存在しないときには、そのバックグランド画像をＨＤＤ１０１９よりメインメモリ１００４の所定のメモリ領域に読み出す処理を実行する。そして、指定された文書画像の符号及びバックグランド画像の記憶アドレス（例えば先頭アドレスと最終アドレス）をメインメモリ１００４の所定のメモリ領域に書き込む。
【００６３】
５）スクリーン画像生成装置１０２０において、スクリーン画像生成情報中にバックグランド画像が指定されているならば、その画像をメインメモリ１００４の所定メモリ領域より読み込み、同画像をスクリーン画像記憶装置１０２１のスクリーン画像メモリ領域に描画する。次に、スクリーン画像生成情報中に指定された文書画像の符号をメインメモリ１００４のページ符号メモリ領域より読み込み、それを復号し、復号された文書画像に必要な縮小処理や矩形クリッピング処理を施した画像をスクリーン画像メモリ領域に描画する処理を繰り返すことによって、スクリーン画像メモリ領域にＰＤＡ１０２３のスクリーンサイズに対応したスクリーン画像を生成する。なお、スクリーン画像生成処理の詳細については後述する。
【００６４】
６），７）スクリーン画像生成装置１０２０は、スクリーン画像記憶装置１０２１より完成したスクリーン画像を読み出して通信処理装置１０２２へ転送し、該スクリーン画像を、スクリーン描画要求の要求元であるＰＤＡ１０２３へ送信させる。
【００６５】
なお、本実施形態においては、コピー文書画像もプリンタ文書画像も共にＲＧＢデータであるため、それらを区別することなくスクリーン画像生成処理を行うことができる。
【００６６】
図１２に、スクリーン画像とそれを生成するためのスクリーン画像生成情報の例を示す。このスクリーン画像は、全体にバックグランド画像が描画され、それに上書きする形で２つの文書画像が指定サイズで指定位置に描画されるものである。スクリーン画像生成情報には、スクリーンのサイズ（スクリーンＸ，Ｙ幅）、バックグランド画像のインデックス（ＨＤＤ１０１９内の該画像の登録番号）、各文書画像のインデックス（ＨＤＤ１０１９内の該文書画像の登録番号）、各文書画像の表示位置（左隅のＸ，Ｙ座標）と表示サイズ（Ｘ，Ｙ幅）が含まれる。この例では、各文書画像の全体がスクリーン画像に描画されるが、文書画像の表示サイズ・表示位置によっては文書画像の一部がスクリーン画像の外側に出る。この場合には文書画像のスクリーン画像の外側に位置する画素を削除するため後述するような矩形クリッピング処理が必要となる。この例では、２つの文書画像が指定されているが、１つの文書画像又は３つ以上の文書画像を指定することも可能であることは当然である。
【００６７】
なお、このようなスクリーン画像生成に先行して、通常、ＰＤＡ１０２３側で閲覧可能な文書画像の検索が行われ、その結果としてＰＤＡ１０２３側で指定した文書画像を含むスクリーン画像生成情報を含むスクリーン描画要求をＭＰＦＰ１０００へ送信することになるが、その具体的な内容については後述する。また、ＰＤＡ１０２３側では、ＭＦＰ１０００より受信したスクリーン画像をスクリーンに表示し、必要に応じてスクロールや拡大等を指示することにより、この指示に応じたスクリーン画像生成情報を含むスクリーン描画要求をＭＦＰ１０００へ再度送信し、ＭＦＰ１０００側では、受信したスクリーン画像生成情報に基づいてスクロールや拡大等の指示に対応したスクリーン画像を生成してＰＤＡ１０２３へ送信するが、これについては後にさらに説明する。
【００６８】
図１３はスクリーン画像生成装置のブロック図を示す。図１３において、メモリコントローラＩ／Ｆ３００１はメモリコントローラ１００３とのインターフェース処理を行う手段である。表示パラメータ処理装置３００２は、メインメモリ１００４から読み込まれるスクリーン画像生成情報等を記憶するとともに、それら情報に基づいて装置内の各部へ処理に必要なパラメータ等を供給する等の動作を行う。ＪＰＥＧ復号装置３００３は、スクリーン画像生成情報中で指定された文書画像の符号（ＪＰＥＧ符号）の復号処理を行う手段である。このＪＰＥＧ復号装置３００３は図７に示したような構成のものである。縮小処理装置３００４は、ＪＰＥＧ復号装置３００３により復号された文書画像の縮小処理を行う手段である。この縮小処理装置３００４の具体例について、後に図１７乃至図２２を参照し説明する。矩形クリッピング処理装置３００５は、縮小処理装置３００４により縮小後の文書画像に対し、生成すべきスクリーン画像の外側に位置する画素データを削除し、スクリーン画像に描画されるべき画素データのみを表示領域描画処理装置３００６へ転送する手段である。表示領域描画処理装置３００６は、矩形クリッピング処理装置３００５より転送された画素データをスクリーン画像記憶装置１０２１のスクリーン画像メモリ領域に描画する手段である。メモリＩ／Ｆ３００７は、スクリーン画像記憶装置１０２１とのインターフェース処理のための手段である。メモリアドレス生成装置３００８は、メインメモリ１００４からの符号等の読み出しアドレスを生成する手段である。バックグランド描画装置３０１０は、メインメモリより読み込まれるバックグランド画像をスクリーン画像記憶装置１０２１のスクリーン画像メモリ領域に描画する手段である。スクリーン画像転送装置３００９は、スクリーン画像記憶装置１０２１のスクリーン画像メモリ領域に生成されたスクリーン画像を通信処理装置１０２２へ転送し、スクリーン描画要求の要求元へ送信させる手段である。コントローラ３０１１は当該スクリーン画像生成装置全体をコントロールする手段である。
【００６９】
なお、スクリーン画像記憶装置１０２１としてメインメモリ１００４の一部メモリ領域を用いることもできる。この場合、生成されたスクリーン画像の通信処理装置１０２２への転送をＣＰＵ１００１（のプログラム）で制御するようにしてもよい。
【００７０】
図１４は、スクリーン画像生成装置１０２０におけるスクリーン画像生成処理の詳細手順の一例を説明するためのフローチャートである。図１５は矩形クリッピング処理装置３００５の処理手順の一例を示すフローチャートである。また、図１６は表示領域描画処理装置３００６の処理手順の一例を示すフローチャートである。以下、図１４乃至図１６を参照し、スクリーン画像生成処理について説明する。
【００７１】
まず図１４を参照する。スクリーン画像生成装置１０２０は、メインメモリ１００４のスクリーン画像生成情報メモリ領域よりスクリーン画像生成情報を読み込む（ｓｔｅｐ１）。すなわち、表示パラメータ処理装置３００２より、スクリーン画像生成情報が記憶されているスクリーン画像メモリ領域の先頭アドレスと終了アドレスがメモリアドレス生成装置３００８にセットされるとともにメモリリード要求がメモリコントローラＩ／Ｆ３００１に出される。メモリアドレス生成装置３００８よりスクリーン画像生成情報の読み出しのためのメモリアドレスが生成され、メインメモリ１００４のスクリーン画像生成情報メモリ領域がアクセスされ、読み出されたスクリーン画像生成情報がメモリコントローラＩ／Ｆ３００１を介し表示パラメータ処理装置３００２に入力されて記憶される。
【００７２】
次に、表示パラメータ処理装置３００２は、スクリーン画像生成情報に基づいたパラメータ設定を行う（ｓｔｅｐ２）。すなわち、スクリーン画像生成情報中に指定されているスクリーンのサイズ（Ｘ，Ｙ幅）及びスクリーン画像メモリ領域の先頭アドレスをバックグランド描画装置３０１０にセットする。また、スクリーンのサイズ（Ｘ，Ｙ幅）を矩形クリッピング処理装置３００５にセットする。また、スクリーンのＸ幅及びスクリーン画像メモリ領域の先頭アドレスを表示領域描画処理装置３００６にセットする。
【００７３】
次に、メインメモリ１００４の所定のメモリ領域にＣＰＵ１００１（のプログラム）により書き込まれている、指定された各文書画像の符号の記憶アドレス及び指定されたバックグランド画像の記憶アドレスを読み込む（ｓｔｅｐ３）。すなわち、表示パラメータ処理装置３００２より上記所定のメモリ領域の先頭アドレスと終了アドレスがメモリアドレス生成装置３００８にセットされるとともにメモリリード要求がメモリコントロールＩ／Ｆ３００１に出される。メモリアドレス生成装置３００８より上記所定メモリ領域の読み出しのためのアドレスが生成され、メインメモリ１００４の上記所定メモリ領域がアクセスされ、読み出された内容（文書画像の符号及びバックグランド画像が記憶されている先頭アドレスと終了アドレス）がメモリコントロールＩ／Ｆ３００１を介し入力され、表示パラメータ処理装置３００２に記憶される。
【００７４】
表示パラメータ処理装置３００２は、読み込まれたスクリーン画像生成情報中にバックグランド画像が指定されているか調べる（ｓｔｅｐ４）。バックグランド画像が指定されているならば（ｓｔｅｐ４，Ｙｅｓ）、バックグランド画像を読み込み、スクリーン画像記憶装置１０２１のスクリーン画像メモリ領域にバックグランド画像を描画する処理を行う（ｓｔｅｐ５）。すなわち、表示パラメータ処理装置３００２よりバックグランド画像の先頭アドレスと終了アドレスがメモリアドレス生成装置３００８にセットされるとともにメモリリード要求がメモリコントロールＩ／Ｆ３００１に出され、また、バックグランド描画装置３０１０に描画指示が出される。メモリアドレス生成装置３００８よりバックグランド画像の読み出しのためのアドレスが生成されることにより、メインメモリ１００４よりバックグランド画像が読み出されてメモリコントローラＩ／Ｆ３００１を介しバックグランド描画装置３０１０に入力し、バックグランド描画装置３０１０は、メモリＩ／Ｆ３００７を介し、スクリーン画像記憶装置１０２１のスクリーン画像メモリ領域上のスクリーンサイズと同じサイズの領域（スクリーン領域と記す）にバックグランド画像を下地として描画する。この後の文書画像の描画は、このバックグランド画像に上書きする形で行われる。
【００７５】
これ以降、スクリーン画像生成情報中に指定された各文書画像について、指定された順に処理する。
【００７６】
まず、表示パラメータ処理装置３００２は、最初に指定された文書画像に関するパラメータの設定を行う（ｓｔｅｐ６）。すなわち、該文書画像の表示サイズ（表示Ｘ，Ｙ幅）を縮小処理装置３００４にセットする。該文書画像のスクリーン上の表示位置（Ｘ，Ｙ座標）を矩形クリッピング処理装置３００５にセットする。
【００７７】
次に、該文書画像の符号のヘッダを読み込み、該文書画像のＸ，Ｙ幅を縮小処理装置３００４にセットする（ｓｔｅｐ７）。すなわち、表示パラメータ処理装置３００２は、該文書画像の符号が記憶されている先頭アドレスと終了アドレスをメモリアドレス生成装置３００８にセットするとともにメモリリード要求をメモリコントロールＩ／Ｆ３００１に出す。メモリアドレス生成装置３００８より該文書画像の符号を読み出すためのアドレスが生成され、メインメモリ１００４より該文書画像の符号が読み出されてメモリコントローラＩ／Ｆ３００１を介してＪＰＥＧ復号装置３００３に入力する。ＪＰＥＧ復号装置３００３は最初に入力する該文書画像の符号のヘッダを解析し、該文書画像のサイズ（Ｘ幅とＹ幅）を表示パラメータ処理装置３００２に通知する。表示パラメータ処理装置３００２は、該文書画像のサイズ（Ｘ幅とＹ幅）を縮小処理装置３００４にセットする。なお、縮小処理装置３００４においては、その内部のＸ，Ｙ縮小率演算装置（後述）で、セットされた該文書画像のサイズ（Ｘ，Ｙ幅）と先にセットされた該文書画像の表示サイズ（表示Ｘ，Ｙ幅）とから、Ｘ，Ｙ方向の縮小率を例えば
Ｘ方向縮小率＝文書画像の表示Ｘ幅／文書画像のＸ幅
Ｙ方向縮小率＝文書画像の表示Ｙ幅／文書画像のＹ幅
により決定する。
【００７８】
これ以降、該文書画像の各ブロック（８×８画素）の符号がラスター順に１ブロックずつ読み込まれて処理される（ｓｔｅｐ８〜ｓｔｅｐ１４）。表示パラメータ処理装置３００２は文書画像中のどのブロックが処理中であるかを監視している。１ブロックの符号が読み込まれ（ｓｔｅｐ８）、ＪＰＥＧ復号装置３００３により該符号の復号処理が行われてブロック画像（８×８画素）が縮小処理装置３００４へ送られ（ｓｔｅｐ９）、縮小処理装置３００４で該ブロック画像の縮小処理が行われて縮小画像が矩形クリッピング処理装置３００５へ送られ（ｓｔｅｐ１０）、矩形クリッピング処理装置３００５で縮小画像のスクリーン領域外の画素を削除する矩形クリッピング処理が行われ（ｓｔｅｐ１１）、矩形クリッピング処理で削除されなかった画素のみが表示領域描画処理装置３００６によってスクリーン画像メモリ領域のスクリーン領域に描画される（ｓｔｅｐ１２）。水平方向に並ぶブロック列の最後のブロックまで処理されると（ｓｔｅｐ１３，Ｙｅｓ）、その下のブロック列について同様の処理が繰り返される。最も下のブロック列の最終ブロックまで処理されると（ｓｔｅｐ１４，Ｙｅｓ）、該文書画像に関する処理を終了する。
【００７９】
表示パラメータ処理装置３００２は、スクリーン画像生成情報中に次に処理すべき文書画像が指定されているならば（ｓｔｅｐ１５，Ｎｏ）、その文書画像についてｓｔｅｐ６以降の処理を開始させる。スクリーン画像生成情報中に指定された最後の文書画像についての処理が終わると（ｓｔｅｐ１５，Ｙｅｓ）、スクリーン画像生成処理を終了する。
【００８０】
図１５を参照し、矩形クリッピング処理装置３００５の処理を説明する。矩形クリッピング処理装置３００５においては、描画しようとする画素の縮小文書画像内の相対的なＸ，Ｙ座標（ＩＸ，ＩＹ）を計算し（ｓｔｅｐ２１）、この座標とスクリーン画像生成情報中で指定された文書画像の表示位置であるＸ，Ｙ座標（ＤＸ，ＤＹ）とから、該画素のスクリーン画像メモリ領域上のＸ，Ｙ座標（ＷＸ，ＷＹ）
ＷＸ＝ＩＸ＋ＤＸ
ＷＹ＝ＩＹ＋ＤＹ
を計算する（ｓｔｅｐ２２）。そして、スクリーン画像生成情報中に指定されたスクリーンＸ，Ｙ幅とＷＸ，ＷＹの大小比較判定を行い（ｓｔｅｐ２３，２４）、０≦ＷＸ≦スクリーンＸ幅（ｓｔｅｐ２３，Ｙｅｓ）かつ０≦ＷＹ≦スクリーンＹ幅（ｓｔｅｐ２４，Ｙｅｓ）ならば、該画素のデータを座標ＷＸ，ＷＹとともに表示領域描画処理装置３００６へ転送して描画させる（ｓｔｅｐ２５）。しかし、ｓｔｅｐ２３又はｓｔｅｐ２４の判定結果がＮｏならば、該画素はスクリーン領域の外側に位置するということであるので削除し、該画素のデータを表示領域描画処理装置３００６へ転送しない。つまり該画素は描画されない。縮小文書画像の全ての画素について同様の処理が行われる。
【００８１】
図１６を参照し、表示領域描画処理装置３００６の処理を説明する。表示領域描画処理装置３００６においては、矩形クリッピング処理装置３００５より転送された画素の座標ＷＸ，ＷＹ、スクリーン画像生成情報中に指定されたスクリーンのＸ幅、スクリーン画像メモリ領域の先頭アドレスとから、描画アドレスを
描画アドレス＝ＷＸ＋ＷＹ×スクリーンＸ幅＋先頭アドレス
により計算する（ｓｔｅｐ３１）。そして、この描画アドレスに該画素のデータを書き込む（ｓｔｅｐ３２）。矩形クリッピング処理装置３００５で削除されずに転送された全ての画素について、同様の処理が行われる。
【００８２】
図１７は縮小処理装置３００４の第１の実施例を示すブロック図である。本実施例では平均操作法により画像縮小を行う（請求項６）。図１７において、８＊８ＲＧＢ画像記憶装置３０２１はＪＰＥＧ復号装置３００３より入力する１ブロック（８×８画素）の復号画像（ＲＧＢデータ）を一時記憶する手段である。平均操作処理装置３０２２は、８＊８ＲＧＢ画像記憶装置３０２１に記憶された８×８画素の復号画像を平均操作処理によって縮小画像へ変換する手段である。ライン画像メモリ３０２３は、平均操作処理装置３０２２で生成された縮小画像を順次ライン方向に格納していく記憶装置である。Ｘ，Ｙ縮小率演算装置３０２４は図１４のｓｔｅｐ７で述べたＸ，Ｙ方向の縮小率計算を行い、１ブロックの縮小後のＸ方向画素数ＭとＹ方向画素数Ｎを決定して平均操作処理装置３０２２に指定する手段である。コントローラ３０２５は縮小処理装置全体をコントロールする手段である。
【００８３】
図１８は、平均操作法により１ブロックの画像を４×４画素の縮小画像へ変換する例を説明する図である。縮小画像（右図）の各画素の値は、８×８画素の復号画像（左図）の対応した２×２画素の値の平均値とされる。
【００８４】
図１９は縮小処理装置３００４の第２の実施例を示すブロック図である。本実施例ではＤＣＴ係数の間引きにより画像縮小を行う（請求項７）。例えば８×８画素の復号画像を５×４画素の縮小画像へ変換する場合、図２０に示すように、各ブロックの復号画像を離散コサイン変換することにより８×８のＤＣＴ係数を得る。そして、その低周波側の５×４のＤＣＴ係数のみを抽出する（残りの高周波側の係数は破棄する）。次に、この５×４のＤＣＴ係数を逆離散コサイン変換することにより５×４画素の縮小画像を生成する。
【００８５】
図１９を参照する。８＊８ＲＧＢ画像記憶装置３０３１は、ＪＰＥＧ復号装置３００３より入力される８×８画素の復号画像を一時記憶する手段である。８＊８ＤＣＴ変換装置３０３２は、８＊８ＲＧＢ画像記憶装置３０３１に記憶された１ブロックの復号画像（ＲＧＢデータ）の離散コサイン変換を行って８×８のＤＣＴ係数を出力する手段であり、そのブロック図を図２１に示す。８＊８ＤＣＴ係数記憶装置３０３３は８＊８ＤＣＴ変換装置３０３２より出力された８×８のＤＣＴ係数を一時記憶する手段である。Ｘ，Ｙ縮小率演算装置３０３８は図１４のｓｔｅｐ７で述べたＸ，Ｙ方向の縮小率計算を行い、各ブロックの縮小画像のＸ方向画素数ＭとＹ方向画素数Ｎを決定する手段である。Ｍ＊ＮＤＣＴ係数間引き装置３０３４は、８＊８ＤＣＴ係数記憶装置３０３３に記憶されている８×８のＤＣＴ係数から低周波側のＭ×ＮのＤＣＴ係数を抽出する手段である。Ｍ＊ＮＤＣＴ係数記憶装置３０３５はＭ＊ＮＤＣＴ係数間引き装置３０３４により抽出されたＭ×ＮのＤＣＴ係数を一時記憶する手段である。Ｍ＊ＮＩＤＣＴ変換装置３０３６は、Ｍ＊ＮＤＣＴ係数記憶装置３０３５に記憶されているＭ×ＮのＤＣＴ係数の逆離散コサイン変換を行ってＭ×Ｎ画素の画像（ＲＧＢデータ）を出力する手段であり、そのブロック図を図２２に示す。ライン画像メモリ３０３７は、Ｍ＊ＮＩＤＣＴ変換装置３０３６より出力されるＭ×Ｎ画素の画像を順次ライン方向に格納する記憶装置である。コントローラ３０３９は縮小処理装置全体をコントロールする手段である。
【００８６】
図２１は８＊８ＤＣＴ変換装置３０３１のブロック図である。図中、ＲＧＢ→ＹＵＶ変換装置３０４１は、入力する８×８画素の復号画像（ＲＧＢデータ）をＹＵＶデータへ変換し、そのＹ成分を２次元ＤＣＴ処理装置３０４２＿Ｙへ、Ｕ成分を２次元ＤＣＴ処理装置３０４２＿Ｕへ、Ｖ成分を２次元ＤＣＴ処理装置３０４２＿Ｖへそれぞれ入力する。２次元ＤＣＴ処理装置３０４２_Y，３０４２＿Ｕ，３０４２＿Ｖは、入力したＹ，Ｕ，Ｖ各成分の８×８画素の画像のＤＣＴ（離散コサイン変換）を行い、８×８のＤＣＴ係数を出力する。このＤＣＴ係数は、メモリＩ／Ｆ３０４３を介して８＊８ＤＣＴ係数記憶装置３０３３（図１９）に格納される。
【００８７】
図２２はＭ＊ＮＩＤＣＴ変換装置のブロック図である。図中、メモリＩ／Ｆ３０５１はＭ＊ＮＤＣＴ係数記憶装置３０３５（図１９）とのインターフェースであって、これ介してＹ，Ｕ，Ｖ各成分のＭ×ＮのＤＣＴ係数が入力される。このＹ，Ｕ，Ｖ成分のＤＣＴ係数に対し、２次元ＩＤＣＴ処理装置３０５２＿Ｙ，３０５２＿Ｕ，３０５２＿ＶでＩＤＣＴ（逆離散コサイン変換）が行われることにより、Ｍ×Ｎ画素の縮小画像のＹＵＶデータが生成される。ＹＵＶ→ＲＧＢ変換装置３０５３は、この縮小画像のＹＵＶデータをＲＧＢデータへ変換して出力する。
【００８８】
なお、スクリーン画像記憶装置１０２１には、図２３のように複数のスクリーン画像メモリ領域を割り当てることができる。したがって、あるＰＤＡ等のために生成したスクリーン画像の転送処理と別のＰＤＡ等のためのスクリーン画像の生成処理とを平行して行うことが可能になる。なお、スクリーン画像メモリ領域に生成されたスクリーン画像であって要求元へ転送済みのものは、それ以上保存する必要はないので、次のスクリーン画像の生成時に消去される。
【００８９】
図２４に、ＰＤＡ１０２３（又はＰＣ１０２４）からの文書検索要求やスクリーン描画要求に対するＭＦＰ１０００の制御フローを示す。図２５から図２９はＰＤＡ１０２３の画面例を示す。なお、図２５から図２９において、４００１は画像表示用スクリーンである。このスクリーン４００１にはタッチパネルが設けられており、不図示のペンでスクリーン４００１にタッチすることにより、文書画像の選択や移動の指示、機能選択指示等を入力することができる。また、４００２は操作部であり、この操作部４００２の操作によっても各種の指示の入力が可能である。
【００９０】
以下、図２４から図２９を参照し、ＰＤＡ１０２３とＭＦＰ１０００の動作について説明する。以下の説明は本発明に係る文書画像閲覧方法の実施形態の説明でもある。
【００９１】
図２５は、ＰＤＡ１０２３で、ＭＦＰ１０００に蓄積されている文書画像（コピー画像及びプリンタ画像）を表示するためのアプリケーションを起動した時の画面例を示している。この時、ＰＤＡ１０２３はＭＦＰ１０００に対し接続要求を行う。
【００９２】
ＭＦＰ１０００においては、図２４に示すように、ＰＤＡ１０２３等の情報端末からの要求の受信の有無や要求の内容を監視し（ｓｔｅｐ１０１，ｓｔｅｐ１０４，ｓｔｅｐ１０８，ｓｔｅｐ１１３）、受信した要求に応じた制御を行う。
【００９３】
例えばＰＤＡ１０２３より文書検索要求が出されると（ｓｔｅｐ１１３，Ｙｅｓ）、ＭＦＰ１０００は、ＨＤＤ１０１９に保存されている文書画像であって要求元のＰＤＡ１０２３で閲覧可能な文書画像を検索し、例えば、それら文書画像のインデックス（登録番号）と文書名や更新日時等の検索データを要求元のＰＤＡ１０２３へ送信する。この検索データを受信したＰＤＡ１０２３においては、スクリーン４００１に例えば図２６のように検索データの内容を表示する。
【００９４】
ＰＤＡ１０２３において、ユーザが検索データより閲覧を希望する１以上の文書画像を選択し、必要ならばバックグランド画像の選択を行い、スクリーン描画を指示すると、図１２に例示したようなスクリーン画像生成情報を生成し、このスクリーン画像生成情報を含むスクリーン描画要求をＭＦＰ１０００へ送信する。
【００９５】
ＭＦＰ１０００においては、スクリーン描画要求を受信すると（ｓｔｅｐ１０８，Ｙｅｓ）、スクリーン描画要求に含まれるスクリーン画像生成情報（先述のようにメインメモリ１００４のスクリーン画像生成情報メモリ領域に格納される）で指定されている文書画像の符号及びバックグランド画像の中でメインメモリ１００４上に存在しないものをＨＤＤ１０１９より読み出してメインメモリ１００４に格納する等の処理を行う（ｓｔｅｐ１１０）。この処理の内容については図１４に関連して既に説明済みである。この後、スクリーン画像生成装置１０２０において、スクリーン画像生成情報に従ってスクリーン画像の生成処理を実行し（ｓｔｅｐ１１１）、生成したスクリーン画像を通信処理装置１０２２へ転送して要求元のＰＤＡ１０２３へ送信させる（ｓｔｅｐ１１２）。このｓｔｅｐ１１１，ｓｔｅｐ１１２の処理については既に詳細に説明済みである。その結果、ＰＤＡ１０２３のスクリーン４００１に例えば図２７に示すようなスクリーン画像が表示される。このスクリーン画像の例のように縮小された文書画像であっても、その縮小処理に前述のような画質の優れた縮小方法が用いられるため、文書画像の内容をかなりの程度確認することが可能である。
【００９６】
ＰＤＡ１０２３のユーザは、表示されたスクリーン画像の内容を確認し、必要ならば、閲覧する文書画像の追加、削除又は変更、拡大や移動等を指示することができる。
【００９７】
図２７に示したスクリーン画像中の右側の文書画像のみを拡大したい場合、例えば図２６の検索データをスクリーン４００１に再度表示させ、拡大表示させたい文書画像のみを選択し、拡大とスクリーン描画を指示する。その結果、そのような指示の内容に対応したスクリーン画像生成情報を含むスクリーン描画要求がＰＤＡ１０２３よりＭＦＰ１０００へ送信される。このスクリーン描画要求を受信したＭＦＰ１０００において、スクリーン描画要求に含まれているスクリーン画像生成情報に基づいたスクリーン画像を生成して要求元のＰＤＡ１０２３へ送信する。
【００９８】
その結果、ＰＤＡ１０２３のスクリーン４００１に例えば図２８のようなスクリーン画像が表示され、文書画像の内容をより詳しく確認することができる。なお、この例では文書画像のスクリーンから外れる部分が矩形クリッピングされている。
【００９９】
ＰＤＡ１０２３のユーザは、表示されたスクリーン画像中の文書画像の特定部分をさらに拡大したい場合には、その部分の拡大を指示して再度スクリーン描画を指示する。その結果、そのような指示の内容に対応したスクリーン画像生成情報を含むスクリーン描画要求がＰＤＡ１０２３よりＭＦＰ１０００へ送信される。このスクリーン描画要求を受信したＭＦＰ１０００において、スクリーン描画要求に含まれているスクリーン画像生成情報に基づいたスクリーン画像を生成して要求元のＰＤＡ１０２３へ送信する。その結果、ＰＤＡ１０２３のスクリーン４００１に、例えば図２９に示すようなスクリーン画像が表示される。
【０１００】
以上に述べたＰＤＡ１０２３は、例えば図３０に示すように、ＣＰＵ４０１１、このＣＰＵ４０１１で実行されるプログラムやデータ等の記憶のためのメモリ４０１２、ネットワーク経由の通信のためのネットワーク・インターフェース４０１３、画像表示用スクリーンとしての液晶表示パネル４０１５とそのコントローラ４０１６、液晶表示パネル４０１５の前面に配置されるタッチパネル４０１７とそのコントローラ４０１８、各種操作のための操作部４０１９、これら要素間の情報伝達のためのバス４０２０等から構成することができる。ただし、この構成はあくまで例に過ぎない。
【０１０１】
図３１は、ＭＦＰ１０００のスキャナ１００９及びプリンタエンジン１０１５とその関連した機構の一例を説明するための模式的断面図である。
【０１０２】
まず、スキャナに関して説明する。５０はスキャナ１００９の読み取りユニットである。この読み取りユニット５０は、原稿が載置されるコンタクトガラス６と光学走査系で構成されている。この光学走査系は、原稿を照明するための露光ランプ５１、第１ミラー５２、レンズ５３、ＣＣＤイメージセンサ５４等々で構成されている。露光ランプ５１及び第１ミラー５２は、図示しない第１キャリッジ上に固定され、第２ミラー５５及び第３ミラー５６は、図示しない第２キャリッジ上に固定されている。原稿を読み取るときには、光路長が変わらないように、第１キャリッジと第２キャリッジとが２対１の相対速度で機械的に走査される。この光学走査系は、図示しないスキャナ駆動モータにて駆動される。原稿画像は、ＣＣＤイメージセンサ５４によって読み取られ、電気信号（アナログ画像信号）に変換され、そしてデジタルデ−タ（画像デ−タ）に変換される。レンズ５３及びＣＣＤイメージセンサ５４を図中左右方向に移動させることにより画像倍率が変わる。すなわち、指定された倍率に対応してレンズ５３及びＣＣＤイメージセンサ５４の左右方向位置が設定される。１は自動原稿送り装置（以下ＡＤＦ）である。このＡＤＦ１の原稿台２に、読み取り面を上にして置かれた原稿の束は、不図示のパネル１００８のスタートキーが押下されると、一番下の原稿から給送ローラ３および給送ベルト４によってコンタクトガラス６上の所定の位置に給送され、読み取りユニット５０によってコンタクトガラス６上の原稿の画像データが読み取られる。読み取りが終了した原稿は、給送ベルト４及び排送ローラ５によって排出される。さらに、原稿セット検知器７にて原稿台２に次の原稿が有ることを検知した場合、前原稿と同様にコンタクトガラス６上に給送される。給送ローラ３、給送ベルト４および排送ローラ５は不図示のモータによって駆動される。
【０１０３】
次に、プリンタエンジン１０１５に関して説明する。第１トレイ８あるいは第２トレイ９に積載された転写紙は、それぞれ第１給紙装置１１あるいは第２給紙装置１２によって給紙され、縦搬送ユニット１４によって感光体１５に当接する位置まで搬送される。プリントすべき画像データは、書き込みユニット５７からのレーザによって感光体１５に静電潜像として書き込まれ、これは現像ユニット３３を通過することによってトナー像に現像される。そして、感光体１５の回転と等速で搬送ベルト１６によって搬送される転写紙に、感光体１５上のトナー像が転写される。この転写紙は、定着ユニット１７を通過する際にトナー像の定着処理が施され、排紙ユニット１８によって後処理装置であるフィニシャ２０に排出される。
【０１０４】
フィニシャ２０は、本体の排紙ローラ１９によって搬送された転写紙を、通常排紙方向又はステープル処理部方向に導く事ができる。切り替え板２１を上に切り替える事により、搬送ローラ２２を経由して通常排紙トレイ２４側に排紙する事ができる。また、切り替え板２１を下方向に切り替える事で、搬送ローラ２５，２７を経由してステープル台２８に搬送する事ができる。ステープル台２８に積載された転写紙は、一枚排紙されるごとに紙揃え用のジョガー２９によって紙端面が揃えられ、例えばコピー動作の場合には一部のコピー完了と共にステープラ２６によって綴じられる。ステープラ２６で綴じられた転写紙群は、その自重によってステープル完了排紙トレイ３０に収納される。
【０１０５】
一方、排紙トレイ２８は前後に移動可能である。前後に移動可能な排紙トレイ２８は、例えばコピー部毎に前後に移動して排出されてくる転写紙を仕分けるものである。
【０１０６】
転写紙の両面に画像を作像する場合は、各給紙トレイ８，９から給紙され作像された転写紙を排紙トレイ側に導かないで、経路切り替えの為の分岐爪３２を上側にセットすることにより、一旦両面給紙ユニット３１にストックする。その後、両面給紙ユニット３１にストックされた転写紙は、再び感光体１５に作像されたトナー画像を転写するために再給紙され、経路切り替えの為の分岐爪３２を下側にセットし、排紙トレイに導く。この様に転写紙の両面に画像を作成する場合に両面給紙ユニット３１は使用される。
【０１０７】
感光体１５、搬送ベルト１６、定着ユニット１７、排紙ユニット１８および現像ユニット２７は、不図示のメインモータによって駆動される。各給紙ユニット１１，１２、縦搬送ユニット１４は不図示のクラッチを介してメインモータにより駆動される。
【０１０８】
書き込みユニット５７は、レーザ出力ユニット５８、結像レンズ５９およびミラー６０で構成される。レーザ出力ユニット５８の内部には、レーザ光源であるレーザダイオード及びモータによって高速に回転駆動される回転多面鏡（ポリゴンミラー）が備わっている。レーザ出力ユニット５８より照射されるレーザ光は、定速回転するポリゴンミラーで偏向され、結像レンズ５９を通り、ミラー６０で折り返され、感光体面上に集光結像する。偏向されたレーザ光は、感光体が回転する方向と直行する方向（主走査方向）に露光走査され、画像信号のライン単位の記録を行う。感光体の回転速度と記録密度に対応した所定の周期で主走査を繰り返すことによって、感光体面上に画像（静電潜像）が形成される。上述のように、書き込みユニット５７から出力されるレーザ光が、画像作像系の感光体１５に照射される。図示しないが感光体１５の一端近傍の、レーザビームを照射される位置に、主走査同期信号を発生するビームセンサが配置されている。この主走査同期信号をもとに主走査方向の画像記録開始タイミングの制御が行われる。なお、感光体１５の周囲には、感光体表面を一様に帯電させる帯電器、トナー像を転写紙に転写させる転写器、感光体表面に残留したトナーを除去するクリーナー等も配設されるが図示されていない。
【０１０９】
以上、本発明に係る画像処理装置及び文書画像閲覧方法の実施形態について説明した。しかし、かかる実施形態にのみ本発明は限定されるものではなく、多くの変形した実施形態をとり得るものである。また、本発明はＭＦＰ以外の画像処理装置にも広く適用し得るものである。
【図面の簡単な説明】
【０１１０】
【図１】本発明の一実施形態に係る複合機（ＭＦＰ）のブロック図である。
【図２】メインメモリの領域割り当て例を示す図である。
【図３】コピー機能に関連した処理フローを説明するための処理概念図である。
【図４】ページ画像符号化装置のブロック図である。
【図５】ＪＰＥＧ符号化装置のブロック図である。
【図６】ページ画像復号装置のブロック図である。
【図７】ＪＰＥＧ復号装置のブロック図である。
【図８】画像処理装置のブロック図である。
【図９】プリンタ機能に関連した処理フローを説明するための処理概念図である。
【図１０】描画処理装置のブロック図である。
【図１１】スクリーン画像生成・転送機能に関連した処理フローを説明するための処理概念図である。
【図１２】スクリーン画像とその生成のためのスクリーン画像生成情報の例を示す図である。
【図１３】スクリーン画像生成装置のブロック図である。
【図１４】スクリーン画像生成装置の処理を説明するための概略フローチャートである。
【図１５】矩形クリッピング処理装置の処理を説明するための概略フローチャートである。
【図１６】表示領域描画処理装置の処理を説明するための概略フローチャートである。
【図１７】縮小処理装置の第１の実施例を示すブロック図である。
【図１８】平均操作法による画像縮小処理の一例の説明図である。
【図１９】縮小処理装置の第２の実施例を示すブロック図である。
【図２０】ＤＣＴ係数間引き処理の一例の説明図である。
【図２１】８＊８ＤＣＴ変換装置のブロック図である。
【図２２】Ｍ＊ＮＩＤＣＴ変換装置のブロック図である。
【図２３】スクリーン画像記憶装置の領域割り当て例を示す図である。
【図２４】ＭＦＰにおける情報端末からの要求に対応した処理を説明するためのフローチャートである。
【図２５】ＰＤＡにおいて文書画像の表示のためのソフトウェアを起動した時の表示画面の一例を示す図である。
【図２６】ＰＤＡにおける文書画像検索時の表示画面例を示す図である。
【図２７】ＰＤＡにおけるスクリーン描画要求時の表示画面例を示す図である。
【図２８】ＰＤＡにおけるスクリーン描画要求時の表示画面例を示す図である。
【図２９】ＰＤＡにおけるスクリーン描画要求時の表示画面例を示す図である。
【図３０】ＰＤＡの構成例を示すブロック図である。
【図３１】ＭＦＰのスキャナ及びプリンタエンジンとその関連機構の構成例を説明するための模式的断面図である。
【符号の説明】
【０１１１】
１０００    複合機（ＭＦＰ）
１００１    ＣＰＵ
１００４    メインメモリ
１００９    スキャナ
１０１０    平滑フィルタ処理装置
１０１１    ページ画像復号装置
１０１２    画像処理装置
１０１５    プリンタエンジン
１０１６    描画処理装置
１０１７    ページ画像符号化装置
１０１８    ＨＤＤ制御装置
１０１９    ハードディスク装置（ＨＤＤ）
１０２０    スクリーン画像生成装置
１０２１    スクリーン画像記憶装置
１０２２    通信処理装置
１０２３    ＰＤＡ
１０２４    ＰＣ
１０２６    ネットワーク
３００３    ＪＰＥＧ復号装置
３００４    縮小処理装置
３００５    矩形クリッピング処理装置
３００６    表示領域描画処理装置
３００９    スクリーン画像転送装置
３０１０    バックグランド描画装置
【図１】
2007329836.tif 000003
【図２】
2007329836.tif 000004
【図３】
2007329836.tif 000005
【図４】
2007329836.tif 000006
【図５】
2007329836.tif 000007
【図６】
2007329836.tif 000008
【図７】
2007329836.tif 000009
【図８】
2007329836.tif 000010
【図９】
2007329836.tif 000011
【図１０】
2007329836.tif 000012
【図１１】
2007329836.tif 000013
【図１２】
2007329836.tif 000014
【図１３】
2007329836.tif 000015
【図１４】
2007329836.tif 000016
【図１５】
2007329836.tif 000017
【図１６】
2007329836.tif 000018
【図１７】
2007329836.tif 000019
【図１８】
2007329836.tif 000020
【図１９】
2007329836.tif 000021
【図２０】
2007329836.tif 000022
【図２１】
2007329836.tif 000023
【図２２】
2007329836.tif 000024
【図２３】
2007329836.tif 000025
【図２４】
2007329836.tif 000026
【図２５】
2007329836.tif 000027
【図２６】
2007329836.tif 000028
【図２７】
2007329836.tif 000029
【図２８】
2007329836.tif 000030
【図２９】
2007329836.tif 000031
【図３０】
2007329836.tif 000032
【図３１】
2007329836.tif 000033